(57)【特許請求の範囲】
【請求項１】
後方にアンカーボルトが突出形成された複数の建築外装材を建築物の壁体に固定し、前記建築外装材が建物の壁体に付着した状態を維持する建築外装材取付用固定具において、
前記壁体に突出形成された壁体アンカーボルトを用いて固着される垂直部の下端から水平部が直角方向に延長して屈折形成され、水平部の上には、調節長孔が貫通形成される壁体固定ブラケットと；
前記複数の建築外装材のうち、既に取り付けられた下部に配置される建築外装材の上部に設けられるアンカーボルトを用いて固着される第１垂直部の上端から第１水平部が直角方向に延長して屈折形成され、前記第１水平部の上には、左右調節支持長孔が貫通形成される第１連結ブラケットと；
前記第１連結ブラケットと垂直対向して配置され、前記複数の建築外装材のうち、取付らけるべき上部に配置される建築外装材の下部に設けられるアンカーボルトを用いて固着される第２垂直部の下端から第２水平部が直角方向に延長して屈折形成され、前記第２水平部の上には、左右調節固定長孔が貫通形成される第２連結ブラケットと；
前記第１連結ブラケットと前記第２連結ブラケットとの間に配置され、前記壁体固定ブラケットの水平部に形成された前記調節長孔と対応する前後調節長孔が後方側に形成され、前方側には、上側に突出して固定ピンが形成され、前記固定ピンと対向して下側に突出する支持ピンが形成され、前記第１連結ブラケットと前記第２連結ブラケットを相互連結する連結プレートとを備え、
前記連結プレートは、前記固定ピンと前記前後調節長孔との間に補助孔が形成され、前記第１連結ブラケットは、前記左右調節支持長孔の後方側に第１補助長孔が形成され、前記第２連結ブラケットは、前記左右調節固定長孔の後方側に前記第１補助長孔と対応する第２補助長孔が形成され、
前記複数の建築物外装材のうち、いずれか１つの建築物外装材が除去されるときに、当該建築物外装材の上部に固着された第１連結ブラケットの左右調節支持長孔に支持固着された前記支持ピンと、当該建築物外装材の下部に固着された第２連結ブラケットの左右調節固定長孔に挿入固定された前記固定ピンとが切断されることを特徴とする建築外装材取付用固定具。
【請求項２】
前記補助孔、前記第１補助長孔及び前記第２補助長孔は、垂直方向に連通するように配置されることを特徴とする請求項１に記載の建築外装材取付用固定具。
【請求項３】
前記複数の建築物外装材のうち、いずれか１つが破損された場合には、交替用建築物外装材を交替固定させることができるように前記補助孔、前記第１補助長孔及び前記第２補助長孔に沿って交替固定ピンが挿入固定されることを特徴とする請求項２に記載の建築外装材取付用固定具。
【発明の詳細な説明】
【技術分野】
【０００１】
本発明は、建築外装材取付用固定具に関し、より詳細には、壁体固定ブラケット、連結プレート、第１連結ブラケット及び第２連結ブラケットで構成され、且つ、連結プレートの前方側に上・下部に突出する固定ピン及び支持ピンが形成され、連結プレート、第１連結ブラケット及び第２連結ブラケットに連通する補助孔、第１補助長孔及び第２補助長孔が設けられることによって、建築外装材の施工を迅速で且つ容易に行うことができ、工期を短縮させることができると共に、建築外装材の交替が容易で、建築外装材に対する維持補修を容易に行うことができる建築外装材取付用固定具に関する。
【背景技術】
【０００２】
一般的に、建築外装材としてよく使用されている大理石は、一定形態及びサイズで製作された状態で、別途の建築外装材取付用固定具及びアンカーボルトなどのツールを用いて建築物の壁面に固着される。
【０００３】
すなわち、相当な重さを有し且つ板状に製作された大理石など建築外装材が建築物の外壁または内壁に付着した状態を維持するための媒介体として、一方はアンカーボルトを介して建築物に固着され、他方は固定ピンなどを介して建築外装材に取り付けられる形態の建築外装材取付用固定具が、建築物の壁体と建築外装材との間に取り付けられる。
【０００４】
図１は、従来技術による建築外装材取付用固定具が取り付けられた例示を示す例示図である。図１に示された従来の建築外装材取付用固定具１０は、建築物の壁体２００に固着される固定ブラケット２０と、建築物の壁体２００に対して建築外装材３００の間隔調節を可能にするための調節ブラケット３０とが分離した形態で構成される。
【０００５】
図示のように、その側面が略’Ｌ’字形状よりなる固定ブラケット２０の垂直部２２は、アンカーボルト４０を媒介にして壁体２００に固着される。一方、固定ブラケット２０の水平部２４の上側には、調節ブラケット３０の一定部分が載置された状態で固定ブラケット２０の水平部２４及び調節ブラケット３０にそれぞれ貫通形成された位置調節孔２４ａ、３０ａを介して位置調節ボルト５０と位置調節ナット５２とのねじ締結により固定ブラケット２０に対する調節ブラケット３０の結合が行われる。
【０００６】
そして、調節ブラケット３０の外側の端部には、大理石など建築外装材３００の下端を支持し且つ上端の位置を固定させるための固定ピン６０が差し込まれるピン孔３２が上下方向に貫通形成される。前述したような固定ピン６０の上端及び下端が安定に取り付けられるように大理石など建築外装材３００の上端部及び下端部の上には、ピン取付溝３０２があらかじめ形成される。
【０００７】
ここで、ピン取付溝３０２は、建築外装材３００の上端部分及び下端部の上に長さ方向に沿って延長して形成され、このようなピン取付溝３０２の形成作業は、施工現場で作業した後、建築外装材３００の取付固定作業が行われた。
【０００８】
したがって、建築物の壁体２００の外部には、前述したような建築外装材取付用固定具１０及びアンカーボルト４０などを媒介にして大理石など建築外装材３００が取り付けられ、建築物の美観がさらに優秀になるだけでなく、外部の様々な環境から建築物が保護される。
【０００９】
一方、建築外装材３００は、近年、取付をさらに容易にするために、後面の角部分の４ヶ所に後方にアンカーボルトが突出形成され、別途の固定具を介して建築物の壁体に一定間隔をもって離隔して取り付けられていることが現況である。
【００１０】
しかし、前述したような従来の建築外装材取付用固定具は、上面及び下面にピン取付溝が形成された建築外装材にのみ限って適用することができるもので、近年、通常的に適用されている後面にアンカーボルトが突出形成される建築外装材には適用することができないという問題点があった。
【００１１】
また、従来の建築外装材取付用固定具は、施工現場で建築外装材の上面及び下面にピン取付溝を形成する作業を行った後、このような作業により形成された、下側に配置された建築外装材の上面に形成されたピン取付溝と調節ブラケットのピン孔とを一致させた後、固定ピンを挿入し、固定ピンの上部突出部分に、上側に配置されるべき建築外装材の下面ピン取付溝を一致させるなどの取付過程が複雑なので、取付を容易に行うことができないという問題点があった。
【００１２】
さらに、建築物の壁体に横及び縦長方向に多数個が格子状に取り付けられた建築外装材のうち、いずれか１つの建築外装材が破損される場合には、上下方向に隣り合う建築外装材が固定ピンにより固着された構造に起因して破損された建築外装材を交替することが難しいという問題点があり、これにより、建築外装材の施工作業後に、維持補修が容易ではないという問題点があった。
【発明の概要】
【発明が解決しようとする課題】
【００１３】
本発明は、前述のような問題点を解決するために、その目的は、壁体固定ブラケット、連結プレート、第１連結ブラケット及び第２連結ブラケットで構成され、且つ、連結プレートの前方側に上・下部に突出する固定ピン及び支持ピンが形成されることによって、建築外装材の施工を迅速で且つ容易に行うことができ、工期を短縮させることができる建築外装材取付用固定具を提供することにある。
【００１４】
本発明の他の目的は、壁体固定ブラケット、連結プレート、第１連結ブラケット及び第２連結ブラケットで構成され、且つ、連結プレート、第１連結ブラケット及び第２連結ブラケットに連通する補助孔、第１補助長孔及び第２補助長孔が設けられることによって、建築外装材の部分的な破損時に建築外装材の交替を容易に行うことができ、これにより、建築外装材に対する維持補修を容易に行うことができるようにすることにある。
【課題を解決するための手段】
【００１５】
上記目的を達成するために、本発明による建築外装材取付用固定具は、後方にアンカーボルトが突出形成された複数の建築外装材を建築物の壁体に固定し、建築外装材が建物の壁体に付着した状態を維持する建築外装材取付用固定具において、壁体に突出形成された壁体アンカーボルトを用いて固着される垂直部の下端から水平部が直角方向に延長して屈折形成され、水平部の上には、調節長孔が貫通形成される壁体固定ブラケットと；複数の建築外装材のうち、既に取り付けられた下部に配置される建築外装材の上部に設けられるアンカーボルトを用いて固着される第１垂直部の上端から第１水平部が直角方向に延長して屈折形成され、第１水平部の上には、左右調節支持長孔が貫通形成される第１連結ブラケットと；第１連結ブラケットと垂直対向して配置され、複数の建築外装材のうち、取り付けられるべき上部に配置される建築外装材の下部に設けられるアンカーボルトを用いて固着される第２垂直部の下端から第２水平部が直角方向に延長して屈折形成され、第２水平部の上には、左右調節固定長孔が貫通形成される第２連結ブラケットと；第１連結ブラケットと第２連結ブラケットとの間に配置され、壁体固定ブラケットの水平部に形成された調節長孔と対応する前後調節長孔が後方側に形成され、前方側には、上側に突出して固定ピンが形成され、固定ピンと対向して下側に突出する支持ピンが形成され、第１連結ブラケットと第２連結ブラケットを相互連結する連結プレートとを備えてなる。
【００１６】
ここで、連結プレートは、固定ピンと前後調節長孔との間に補助孔が形成され、第１連結ブラケットは、左右調節支持長孔の後方側に第１補助長孔が形成され、第２連結ブラケットは、左右調節固定長孔の後方側に第１補助長孔と対応する第２補助長孔が形成されることが好ましい。
【００１７】
この際、補助孔、第１補助長孔及び第２補助長孔は、垂直方向に連通するように配置されることができる。
【００１８】
なお、複数の建築物外装材のうち、いずれか１つが破損された場合には、交替用建築物外装材を交替固定させることができるように補助孔、第１補助長孔及び第２補助長孔に沿って交替固定ピンが挿入固定される。
【発明の効果】
【００１９】
本発明による建築外装材取付用固定具の効果を説明すれば、次の通りである。第一に、壁体固定ブラケット、連結プレート、第１連結ブラケット及び第２連結ブラケットで構成され、且つ、連結プレートの前方側に上・下部に突出する固定ピン及び支持ピンが形成されることによって、建築外装材の施工が簡便で、迅速な施工を行うことができ、これにより、建築外装材の工期を短縮させることができる。
【００２０】
第二に、壁体固定ブラケット、連結プレート、第１連結ブラケット及び第２連結ブラケットで構成され、且つ、連結プレート、第１連結ブラケット及び第２連結ブラケットに連通する補助孔、第１補助長孔及び第２補助長孔が設けられることによって、建築外装材の部分的な破損時に建築外装材の交替を容易に行うことができ、これにより、建築外装材に対する維持補修を容易に行うことができる。
【図面の簡単な説明】
【００２１】
【図１】従来技術による建築外装材取付用固定具が取り付けられた例示を示す例示図である。
【図２】本発明による建築外装材取付用固定具で固着される後面の角部にアンカーボルトが設けられた建築外装材の例示を示す例示図である。
【図３】本発明による建築外装材取付用固定具の結合構造を示す分離斜視図である。
【図４】本発明による建築外装材取付用固定具の結合構造を示す結合断面図である。
【図５】本発明による建築外装材取付用固定具の使用状態で破損された建築外装材を交替する第１段階を示す例示図である。
【図６】本発明による建築外装材取付用固定具の使用状態で破損された建築外装材を交替する第２段階を示す例示図である。
【図７】本発明による建築外装材取付用固定具の使用状態で破損された建築外装材を交替する第３段階を示す例示図である。
【発明を実施するための形態】
【００２２】
以下、添付の図面を参照して本発明による建築外装材取付用固定具の好ましい実施例を詳しく説明する。
【００２３】
図２は、本発明による建築外装材取付用固定具で固着される後面の角部にアンカーボルトが設けられた建築外装材の例示を示す例示図であり、図３は、本発明による建築外装材取付用固定具の結合構造を示す分離斜視図であり、図４は、本発明による建築外装材取付用固定具の結合構造を示す結合断面図であり、図５は、本発明による建築外装材取付用固定具の使用状態で破損された建築外装材を交替する第１段階を示す例示図であり、図６は、本発明による建築外装材取付用固定具の使用状態で破損された建築外装材を交替する第２段階を示す例示図であり、図７は、本発明による建築外装材取付用固定具の使用状態で破損された建築外装材を交替する第３段階を示す例示図である。
【００２４】
まず、図３〜図７に示されたような本発明による建築外装材取付用固定具１００で取付作業が行われる建築外装材３００の構造を図２を参照して説明する。
【００２５】
前述の建築外装材３００は、後面の角部の４ヶ所に垂直水平方向に同一距離をもって離隔するように、後方にアンカーボルト３１０、３３０が突出形成される。
【００２６】
すなわち、アンカーボルト３１０、３３０のうち建築外装材３００の後面の上部角部に後方に突出形成されるアンカーボルト３１０は、建築外装材３００の外郭から垂直及び水平方向に同一の距離をもって離隔する位置に形成される。
【００２７】
勿論、アンカーボルト３１０、３３０のうち建築外装材３００の後面の下部角部に後方に突出形成されるアンカーボルト３３０は、建築外装材３００の外郭から垂直及び水平方向に同一の距離ｄ１、ｄ２が離隔する位置に形成される。
【００２８】
以下では、建築外装材３００の後面の上部角部に後方に突出形成されるアンカーボルト３１０は、”上部アンカーボルト３１０”と命名し、前述の建築外装材３００の後面の下部角部に後方に突出形成されるアンカーボルト３１０は、”下部アンカーボルト３３０”と命名して説明することにする。
【００２９】
図３〜図７から明らかなような本発明の好ましい実施例による建築外装材取付用固定具１００は、壁体固定ブラケット１１０、連結プレート１３０、第１連結ブラケット１５０及び第２連結ブラケット１６０を備えてなる。
【００３０】
ここで、壁体固定ブラケット１１０は、建築物の壁体２００に突出形成された壁体アンカーボルト１７０に垂直部１１１の長孔１１３を貫通するように配置され、壁体アンカーナット１７１を締結し、壁体２００に固着される。
【００３１】
この際、垂直部１１１の下端から水平部１１５が直角方向に屈折され、一定の長さだけ延長形成され、水平部１１５の上には、調節長孔１１７が長さ方向に長く貫通形成される。
【００３２】
一方、第１連結ブラケット１５０は、建築物の壁体２００に横及び縦方向に格子状に複数個が相互連結されるように固着される建築外装材３００、３００’、３００”のうち、既に取り付けられた下部に配置される建築外装材３００の上部に設けられた上部アンカーボルト３１０を用いて固着される第１垂直部１５１の上端から第１水平部１５３が直角方向に延長屈折形成される。この際、第１水平部１５３の上には、左右調節支持長孔１５５が貫通形成されることが好ましい。
【００３３】
また、第２連結ブラケット１６０は、第１連結ブラケットと垂直対向して配置され、複数の建築外装材３００、３００’、３００”のうち固着される上部に配置される建築外装材３００’の下部に設けられた下部アンカーボルト３３０’を用いて固着される第２垂直部１６１の下端から第２水平部１６３が直角方向に延長して屈折形成される。この際、第２水平部１６３の上には、左右調節固定長孔１６５が貫通形成されることが好ましい。
【００３４】
ここで、第２連結ブラケット１６０が固着された上部に配置された建築外装材３００’は、下部に配置された建築外装材３００に固着された第１連結ブラケット１５０の左右調節支持孔１５５に支持ピン１３５が支持固着されると同時に、壁体固定ブラケット１１０の水平部１１５の上面に連結プレート１３０が密着される。
【００３５】
この際、連結プレート１３０は、後方側に形成された前後調節長孔１３３が壁体固定ブラケット１１０の水平部１１５の調節長孔１１７と連通し、上部に配置された建築外装材３００’を前後方向に調節し、位置調節ボルト１２０、ワッシャー１２１及び位置調節ナット１２２を介して固定させる。
【００３６】
ここで、連結プレート１３０は、前方側に上側に突出して固定ピン１３１が形成され、固定ピン１３１が、上部に配置された建築外装材３００’の下部に固着された第２連結ブラケット１６０の第２水平部１６３に形成された左右調節固定長孔１６５に挿入固定される。
【００３７】
したがって、上部に配置された建築外装材３００’を左右調節固定長孔１６５及び左右調節支持孔１５５を介して左右方向に調節して固定させることができる。
【００３８】
すなわち、連結プレート１３０を壁体固定ブラケット１１０と連結した後、第１連結ブラケット１５０と第２連結ブラケット１６０との間に配置させて固定することによって、上部に配置される建築外装材３００’に対して容易に左右調節及び前後調節を行い、隣り合う建築外装材３００と前面が平たくなるように整列して固定させることができる。
【００３９】
一方、連結プレート１３０は、固定ピン１３１と前後調節長孔１３３との間に補助孔１３７が形成され、補助孔１３７と対応して第１連結ブラケット１５０は、左右調節支持長孔１５５の後方側に第１補助長孔１５７が形成される。
【００４０】
また、補助孔１３７及び第１補助長孔１５７と対応して、第２連結ブラケット１６０の左右調節固定長孔１６５の後方側に第２補助長孔１６７が形成されることが好ましい。
【００４１】
前述したように、連結プレート１３０の補助孔１３７と、第１連結ブラケット１５０の第１補助長孔１５７及び第２連結ブラケット１６０の第２補助長孔１６７は、垂直方向に相互連通配置される。
【００４２】
前述した補助孔１３７、第１補助長孔１５７及び第２補助長孔１６７が垂直連通配置されることによって、複数の建築物外装材３００、３００’、３００”のうちいずれか１つの建築物外装材３００’が破損された場合、交替用建築物外装材３００ａ’を交替固定させることができる。
【００４３】
ここで、破損された建築物外装材３００’を交替用建築物外装材３００ａ’に交替するときには、補助孔１３７、第１補助長孔１５７及び第２補助長孔１６７に沿って交替固定ピン５００が挿入固定され、破損された建築物外装材３００’の交替が容易であることは勿論、施工された建築物外装材の維持補修が容易に行われることができる。
【００４４】
具体的に、破損された建築物外装材３００’を交替用建築物外装材３００ａ’に交替する状態を図５〜図７を参照して説明する。
【００４５】
まず、破損された建築物外装材３００’を除去するために、グラインダーなどの作業ツールで相互隣り合う複数の建築物外装材３００、３００’、３００”の継ぎ目部分を通じて固定ピン１３１及び支持ピン１３５を切断し、破損された建築物外装材３００’を除去する。
【００４６】
詳細には、破損された建築物外装材３００’の上部継ぎ目部分を通じて支持ピン１３５を切断し、下部継ぎ目部分を通じて固定ピン１３１を切断し、破損された建築物外装材３００’が除去される。
【００４７】
破損された建築物外装材３００’が除去された後には、上部に配置される建築物外装材３００”の下部に固着された第２連結ブラケット１６０と固着された連結プレート１３０の補助孔１３７を臨時的に密閉させるように、連結プレート１３０の下面にテープ４００を接着させる。
【００４８】
この際、テープ４００は、上部に配置された建築物外装材３００”の前面より前方側に一定の長さだけ延長するように接着される。
【００４９】
その後、交替固定ピン５００が上部に配置される建築物外装材３００”の下部に固着された第２連結ブラケット１６０の第２補助長孔１６７と連結プレート１３０の補助孔１３７を介してテープ４００の接着面に下面が密着するように挿入固定される。
【００５０】
その後には、交替用建築物外装材３００ａ’の下部に固着された第２連結ブラケット１６０の第２補助長孔１６７を臨時的に密閉させるように、第２連結ブラケット１６０の下面にテープ４００を接着させる。
【００５１】
この際、テープ４００は、下部に配置された建築物外装材３００の前面より前方側に一定の長さだけ延長するように接着される。
【００５２】
このようなテープ４００の接着後には、交替用建築物外装材３００ａ’の前面が上部及び下部に配置された建築物外装材３００、３００”の前面と一致するように配置し、交替用建築物外装材３００ａ’の上部及び下部に前方側に突出したテープ４００を引っ張って除去する。
【００５３】
この際、交替用建築物外装材３００ａ’の上部に前方側に突出したテープ４００を引っ張って除去すれば、上部に配置される建築物外装材３００”の下部に固着された第２連結ブラケット１６０の第２補助長孔１６７と連結プレート１３０の補助孔１３７を介して挿入固定された交替固定ピン５００が自重によって下部に移動する。
【００５４】
前述の交替固定ピン５００が自重によって下部に移動すれば、交替用建築物外装材３００ａ’の上部に固着された第２連結ブラケット１６０の第２補助長孔１６７に交替固定ピン５００が挿入固定され、これにより、上部に配置された建築物外装材３００”と交替用建築物外装材３００ａ’はそれぞれの前面が一致するように固着されることができる。
【００５５】
一方、交替用建築物外装材３００ａ’の下部に前方側に突出したテープ４００を引っ張って除去すれば、下部に配置される建築物外装材３００の上部に固着された第２連結ブラケット１６０の第２補助長孔１６７を介して挿入固定された交替固定ピン５００が自重によって下部に移動する。
【００５６】
前述の交替固定ピン５００が自重によって下部に移動すれば、交替用建築物外装材３００ａ’の下部に配置された建築物外装材３００の上部に固着された第２連結ブラケット１６０の第２補助長孔１６７及び第２連結ブラケット１６０の上面に密着された連結プレート１３０の補助孔１３７に交替固定ピン５００が挿入固定され、これにより、交替用建築物外装材３００ａ’と下部に配置された建築物外装材３００はそれぞれの前面が一致するように固着されることができる。
【００５７】
前述したような簡便な交替作業を通じて破損された建築物外装材３００’を容易に交替することができ、これにより、建築物外装材の維持補修を容易に行うことができる。
【００５８】
さらに、本発明による建築物外装材取付用固定具１００は、壁体固定ブラケット１１０、連結プレート１３０、第１連結ブラケット１５０及び第２連結ブラケット１６０で構成され、且つ、連結プレート１３０の前方側に上・下部に突出する固定ピン１３１及び支持ピン１３５が形成されることによって、建築外装材の施工を簡便に行うことができ、これにより、施工を迅速に行うことができ、工期を短縮させることができる。
【００５９】
以上、本発明の具体的な実施例を詳しく説明したが、本発明は、これに限定されるものではなく、本発明は、当該発明の属する技術分野における通常の知識を有する者によって多様な変形の実施が可能であり、このような変形は、本発明の範囲に含まれる。
【符号の説明】
【００６０】
１００  建築外装材取付用固定具
１１０  壁体固定ブラケット
１２０  位置調節ボルト
１３０  連結プレート
１３１  固定ピン
１３３  前後調節長孔
１３５  支持ピン
１３７  補助孔
１５０  第１連結ブラケット
１５５  左右調節支持長孔
１５７  第１補助長孔
１６０  第２連結ブラケット
１６５  左右調節固定長孔
１６７  第２補助長孔
１７０  壁体アンカーボルト
２００  壁体
３００、３００’、３００”、３００ａ’    建築外装材
３１０、３１０’、３１０ａ’  上部アンカーボルト
３１１、３１１’、３１１ａ’  上部アンカーナット
３３０、３３０’、３３０ａ’  下部アンカーボルト
３３１、３３１’、３３１ａ’  下部アンカーナット
４００  テープ
５００  交替固定ピン
【図１】
0005648928.tif 000002
【図２】
0005648928.tif 000003
【図３】
0005648928.tif 000004
【図４】
0005648928.tif 000005
【図５】
0005648928.tif 000006
【図６】
0005648928.tif 000007
【図７】
0005648928.tif 000008